(57)【要約】【課題】封入している薬液が少量である場合、点滴中に液面の位置の変化を明確に示し、薬液投与の確実性や薬液の残量を、医療従事者や患者が一見して確認できる薬液バッグを提供する。【解決手段】薬液バッグ１は、上端部１２及び下端部１３を有し、薬液３０を封入可能な薬室１１を有する袋本体１０と、下端部１２に取り付けられて薬液３０を流出させる流出ポート２１とを、備えており、薬液３０を封入した薬室１１が、上端部１２側から前記下端部１３側までの薬室内長さＬを薬室内長さＬ方向に直交する薬室内幅Ｗに対して１．８〜１５倍とし、かつ容量を５０〜２５０ｍＬとするものである。【選択図】図１
2017164421.tif 000002
【特許請求の範囲】
【請求項１】
上端部及び下端部を有し、薬液を封入可能な薬室を有する袋本体と、前記下端部に取り付けられて前記薬液を流出させる流出ポートとを、備えた薬液バッグであって、前記薬液を封入した前記薬室が、前記上端部側から前記下端部側までの薬室内長さを前記薬室内長さ方向に直交する薬室内幅に対して１．８〜１５倍とし、かつ容量を５０〜２５０ｍＬとすることを特徴とする薬液バッグ。
【請求項２】
前記薬室内長さを１３０〜３００ｍｍとし、前記薬室内幅を２０〜７０ｍｍとすることを特徴とする請求項１に記載の薬液バッグ。
【請求項３】
前記上端部に、フックを貫通可能な懸吊穴が開いていることを特徴とする請求項１又は２に記載の薬液バッグ。
【請求項４】
前記薬液及び／又はその有効成分の残量、流出量、残存する質量、及び／又は流出した質量を示す目盛りが、前記袋本体の外面に付されていることを特徴とする請求項１から３のいずれかに記載の薬液バッグ。
【請求項５】
前記薬室内幅の１／２〜１／３の長さである目盛線を有する前記目盛りが、前記上端部と前記下端部との間に付されていることを特徴とする請求項４に記載の薬液バッグ。
【請求項６】
前記目盛りが複数の前記目盛線を有しており、隣り合う前記目盛線同士の間隔を、１５〜３５ｍｍとしていることを特徴とする請求項５に記載の薬液バッグ。
【請求項７】
前記薬室を横断しつつ前記袋本体を挟んでいることによって、前記薬室を仕切っているクリップを有することを特徴とする請求項１から６のいずれかに記載の薬液バッグ。
【請求項８】
前記薬液が、鎮痛剤、解熱剤、制吐剤、鎮咳剤、抗ヒスタミン剤、抗アレルギー剤、気管支拡張剤、ステロイド剤、抗不整脈剤、抗てんかん剤、糖液、電解質補正液、インスリン製剤、タンパク製剤、抗体薬、抗リウマチ薬、造影剤、タンパク質分解酵素阻害剤、脂肪乳剤、抗生物質、抗がん剤、ヘパリンカルシウム、及び麻酔薬のいずれかであることを特徴とする請求項１から７のいずれかに記載の薬液バッグ。
【発明の詳細な説明】
【技術分野】
【０００１】
本発明は、鎮痛剤のような少量の薬液を、投与するのに用いられる薬液バッグに関する。
【背景技術】
【０００２】
薬液を点滴によって患者の静脈に注入する投与方法が、医療現場で行われている。点滴は、薬液が封入された薬液バッグを点滴架台のフックに懸け吊り、薬液バッグに取り付けられた流出ポートにチューブを繋ぎ、薬液を自然落下させて滴下させることにより薬液バッグから流出させ、患者の静脈に留置した注射針を通じて薬液を直接に投与する方法である。点滴に用いられる薬液バッグは、薬液を視認可能にしている透明な熱可塑性樹脂製フィルムで作製された袋容器である。
【０００３】
このような薬液バッグが、特許文献１に開示されている。それの図１に示されるように、この薬液バッグは、薬液を封入する薬室と、その下端部に設けられた薬液取り出し口である流出ポートとを、有している。薬室は、その上端部から下端部までの長さが、この長さ方向に直交する幅に対して僅かに長い、すなわち薬室の長さと幅との差が小さい略矩形をなしている。また薬室の外面に、薬液の残量を示す目盛りが付されている。薬液を点滴によって患者に投与している間、薬液バッグ内の薬液の液面の位置は、流出ポートへ向かって経時的に変化する。医師や看護師等の医療従事者は、液面の相対的な位置の変化や、この目盛りを目視することにより、薬液の残量を確認する。それによって医療従事者は、投与が適切に行われていることを監視できる。
【０００４】
一般的な成人向けの高カロリー輸液や電解質液のような薬液の用量は比較的多いので、特許文献１に開示されているような大容量で大型の薬液バッグに封入されている。そのため、液面の位置が視認し易く、また長い目盛線や大きいサイズの数値を付すことができるので、薬液の残量を目視によって確認し易い。また薬液の用量が多いと滴下速度が遅いことから液面が急激に下がることはなく、医療従事者も患者も長時間待てばよい。
【０００５】
一方、乳児や小児の場合や、又は成人であっても点滴で投与すべき薬液の用量を、上記のような場合と比較して少量とする場合がある。また、１００ｍＬ前後の少ない用量で十分な薬効が得られる薬液も存在する。さらに患者の容体を観察しながら少量に分けられた薬液を順次投与していき、投与すべき量や投与速度を微調整する場合もある。これらの場合、薬液の投与に要する時間が短くなる。
【０００６】
１００ｍＬ前後の用量の薬液が、特許文献１に開示されているような長さと幅との差が小さい薬液バッグに封入されていると、点滴中における液面の経時的な位置の変化が小さいので、点滴が確実に進行していることを目視によって確認し難い。また薬室の外面に目盛りが付されていても、少量の薬液を封入している薬液バッグは小型であり、目盛りの表記が小さいので、一見しただけでは即座に薬液の残量を確認できない可能性もある。
【０００７】
そこで、封入している薬液が少量である場合、投与中に液面の位置の変化が大きく、一見するだけで薬液の投与が確実に行われていることの確認や、残量を認識できるものが望まれている。
【先行技術文献】
【特許文献】
【０００８】
【特許文献１】特開２０００−１２６２８９号公報
【発明の概要】
【発明が解決しようとする課題】
【０００９】
本発明は前記の課題を解決するためになされたもので、封入している薬液が少量である場合、点滴中に液面の位置の変化を明確に示し、薬液投与の確実性や薬液の残量を、医療従事者や患者が一見して確認できる薬液バッグを提供することを目的とする。
【課題を解決するための手段】
【００１０】
前記の目的を達成するためになされた本発明の薬液バッグは、上端部及び下端部を有し、薬液を封入可能な薬室を有する袋本体と、前記下端部に取り付けられて前記薬液を流出させる流出ポートとを、備えた薬液バッグであって、前記薬液を封入した前記薬室が、前記上端部側から前記下端部側までの薬室内長さを前記薬室内長さ方向に直交する薬室内幅に対して１．８〜１５倍とし、かつ容量を５０〜２５０ｍＬとするものである。
【００１１】
薬液バッグは、例えば、前記薬室内長さを１３０〜３００ｍｍとし、前記薬室内幅を２０〜７０ｍｍとするものが挙げられる。
【００１２】
薬液バッグは、前記上端部に、フックを貫通可能な懸吊穴が開いていることが好ましい。
【００１３】
薬液バッグは、前記薬液及び／又はその有効成分の残量、流出量、残存する質量、及び／又は流出した質量を示す目盛りが、前記袋本体の外面に付されているものであってもよい。
【００１４】
薬液バッグは、前記薬室内幅の１／２〜１／３の長さである目盛線を有する前記目盛りが、前記上端部と前記下端部との間に付されていることが好ましい。
【００１５】
薬液バッグは、前記目盛りが複数の前記目盛線を有しており、隣り合う前記目盛線同士の間隔を、１５〜３５ｍｍとしていてもよい。
【００１６】
薬液バッグは、前記薬室を横断しつつ前記袋本体を挟んでいることによって、前記薬室を仕切っているクリップを有していてもよい。
【００１７】
薬液バッグは、前記薬液として、鎮痛剤、解熱剤、制吐剤、鎮咳剤、抗ヒスタミン剤、抗アレルギー剤、気管支拡張剤、ステロイド剤、抗不整脈剤、抗てんかん剤、糖液、電解質補正液、インスリン製剤、タンパク製剤、抗体薬、抗リウマチ薬、造影剤、タンパク質分解酵素阻害剤、脂肪乳剤、抗生物質、抗がん剤、ヘパリンカルシウム、及び麻酔薬のいずれかが挙げられる。
【発明の効果】
【００１８】
本発明の薬液バッグは、薬室が薬室内長さを薬室内幅の１．８〜１５倍とする細長い形状をなしているので、５０〜２５０ｍＬという少量の薬液を、少しずつ流出させて患者に投与する場合に、薬液の液面の位置の経時的変化を視認し易く目立たせて、薬液が確実にかつ適切に患者に投与されていることを、明確にかつ速やかに医療従事者や患者に示すことができる。
【００１９】
薬液バッグは、細長い薬室を有するというだけの簡素な構造であるので、簡易にかつ低コストで製造することができる。
【００２０】
薬液バッグは、細長い薬室を有しているので、薬液の残量等を示す目盛りを有しているものであっても、隣り合う目盛を、一見して識別可能な間隔で付すことができる。それにより医療従事者や患者に、薬液の残量等を確実に示すことができる。
【００２１】
薬液バッグは、外部から薬室を仕切るクリップを有しているものであると、薬室に封入されている薬液を、任意の量に分割できる。細長い薬室の長さ又は目盛りを基準にクリップで挟むだけで薬室を仕切って任意の容量に分割できる。それにより、患者の体重や症状に応じて投与すべき薬液の用量を即座に調節できる。しかも、薬室が細長形をなしているのでクリップで挟み易く、薬室を簡易に仕切って薬液の用量を正確に調節できる。
【図面の簡単な説明】
【００２２】
【図１】本発明を適用する薬液バッグ、薬液を封入した薬液バッグ、及び薬液バッグに封入された薬液が流出している途中を示す正面図である。
【図２】本発明を適用する別な薬液バッグを示す正面図である。
【図３】本発明を適用する薬液バッグの製造途中を示す斜視図である。
【図４】本発明を適用する薬液バッグを用いて患者に薬液を投与している状態を示す斜視図である。
【図５】本発明を適用する別な薬液バッグを示す斜視図である。
【発明を実施するための形態】
【００２３】
以下、本発明を実施するための形態を詳細に説明するが、本発明の範囲はこれらの形態に限定されるものではない。
【００２４】
本発明の薬液バッグ１の一態様の正面図を、図１に示す。同図（ａ）は薬液バッグ１を、同図（ｂ）は薬液を封入した薬液バッグ１を、同図（ｃ）は薬液バッグ１から薬液が流出している途中を、夫々示す正面図である。
【００２５】
薬液バッグ１は図１（ａ）に示すように、上下方向の長さが、これに直交する幅に対して十分に長い、所謂細長の矩形をなしている袋本体１０と、それの下端部１３に熱融着によって取り付けられた流出ポート２１とを、有している。
【００２６】
袋本体１０は、互いに対向する表側フィルム１０ａと裏側フィルム１０ｂとの上端部１２、下端部１３、左側縁部１４、及び右側縁部１５で帯状に熱融着されて形成されている。それによって両フィルム１０ａ，１０ｂの上下端部１２，１３及び左右側縁部１４，１５は、液密に密着し、袋本体１０の内空である薬室１１が液密となっている。表側フィルム１０ａ及び裏側フィルム１０ｂは、柔軟な熱可塑性樹脂製の透明フィルムによって、形成されている。
【００２７】
薬室１１は、液体の薬液を封入するものであり、１００ｍＬの薬液を封入できる容量を有している。薬室１１は、袋本体１０と略相似形の細長い略矩形をなしている。薬室１１は、両フィルム１０ａ，１０ｂ、上辺１１ａ及び下辺１１ｂ、上下辺１１ａ，１１ｂに垂直な左側辺１１ｃ及び右側辺１１ｄ、並びに上下辺１１ａ，１１ｂ及び左右側辺１１ｃ，１１ｄの端同士を繋いでいる円弧１１ａ１，１１ａ２，１１ｂ１，１１ｂ２に囲まれている。
【００２８】
流出ポート２１は筒状を成しており、薬室１１に連通している。流出ポート２１は、その内部にゴム栓などの栓体が封入されている。また袋本体１０の上端部１２の中央に、懸吊穴１２ａが開いている。
【００２９】
表側フィルム１０ａの外面に、目盛り１６及び情報１７が、印刷によって付されている。目盛り１６及び情報１７は、表側フィルム１０ａの外面に付されていることにより、これを形成しているインク等が薬液３０（図１（ｂ）参照）に溶出しない。目盛り１６は、等間隔に付された複数の目盛線１６ａと、薬液３０の残量を示すことができるように、この目盛線１６ａに沿いつつ上辺１１ａから下辺１１ｂへ向かって１００、７５、５０、及び２５ｍＬの降順に、上辺１１ａと下辺１１ｂとの間に付された数値１６ｂとを、有している。目盛り１６は、薬室１１の左側辺１１ｃに沿いつつ、上辺１１ａ及び下辺１１ｂに平行に付されている。薬液バッグの細長い薬室に沿って複数の目盛線１６ａが付されているので、目盛線間隔を大きくして複数の目盛線１６ａ自体を目立たせつつ薬液３０の減り具合を薬液３０の目盛線１６ａによって正確かつ確実に認識できるようになっている。目盛り１６が左側辺１１ｃに沿って付されていることにより、医療従事者が一見して識別可能なように、情報１７を大きく表示することができる。
【００３０】
図１（ｂ）に、薬液バッグ１に薬液３０の１００ｍＬが封入されている状態を示す。同図は、薬液３０が患者に投与される直前の状態を示している。懸吊穴１２ａにフック４１が貫通していることによって、薬液バッグ１は、点滴架台４０に懸け吊られている。薬液３０及びそれの液面３１は、透明な表側フィルム１０ａを介して視認される。それにより、薬室１１に封入される薬液３０の成分分離や異物混入が、目視によって即座に判別できる。液面３１は、目盛り１６の「１００」の数値１６ｂ及びそれに対応した位置を示す目盛線１６ａと重なっている。それにより、薬液３０が未だ薬液バッグ１から流出していないことが示されている。
【００３１】
薬室１１の上辺１１ａからそれの下辺１１ｂまでの薬室内長さＬは、左右側辺１１ｃ，１１ｄに挟まれておりかつ薬室内長さＬに直交する薬室内幅Ｗよりも十分に長い。すなわち薬室内長さＬと薬室内幅Ｗとの差が大きい。具体的な一例として、薬室内長さＬは１８０ｍｍであり、薬室内幅Ｗは４２．５ｍｍである。この場合、薬室内長さＬは薬室内幅Ｗの約４倍である。
【００３２】
薬室１１の薬室内長さＬが薬室内幅Ｗの約４倍もの長さであることによって、２５ｍＬのように少量ずつ割り当てられた目盛りであっても、隣り合う目盛り１６同士を十分に離して付すことができる。それにより医療従事者は、目盛り１６を一見するだけで明確に識別することができる。
【００３３】
薬液３０を封入している薬室１１は、図１の手前方向と奥手方向とに膨らんでおり、下端部１３に向かって急激に窄んだ窄み部１１ｅを有している（図４参照）。薬室１１が細長形をなしているので、封入されている薬液３０の質量が下辺１１ｂ及びそれの周囲に集中する。それにより薬液バッグ１が懸け吊られた際、両フィルム１０ａ，１０ｂの外面の歪みが小さくなり窄み部１１ｅの曲率も小さくなる。そのため目盛り１６は薬室１１の左側辺１１ｃに沿って付されていても、歪み難い。その結果、目盛り１６によって示される残量と薬液３０の真の残量との差を小さくし、目盛り１６の精度及び視認性を向上させることができる。
【００３４】
図１（ｃ）に、薬液バッグ１から薬液３０が流出している状態を示す。流出ポート２１にチューブ２３の一端に接続された瓶針２２が流出ポート２１内の栓体に穿刺されている。この流出ポート２１からチューブ２３へ薬液３０が流出し、患者の静脈に流入する。液面３１が、目盛り１６の「７５」の数値１６ｂ及びそれに対応した位置を示す目盛線１６ａと重なっている。それにより、薬液３０の２５ｍＬが、薬液バッグ１から流出して既に患者に投与されていることが示されている。薬液３０がわずか２５ｍＬ流出しただけで、液面３１は、一見して即座に識別し得るほど明白に、流出前（同図（ｂ））の位置から、下辺１１ｂ側に移動している。
【００３５】
このように薬液バッグ１は、薬室内幅Ｗよりも十分に長い薬室内長さＬである細長形の薬室１１を有していることによって、液面３１の位置の変化を目立たせている。そのため、少しずつ流出する薬液３０の液面３１の位置の変化を、医療従事者や患者に速やかに認識させることができる。その結果、確実かつ適切な点滴の進行を医療従事者に示すことができるともに、患者に点滴が進行していることの安心感を与えることができる。
【００３６】
さらに目盛り１６を一見して識別可能な程度の間隔で付すことができる。具体的に例えば、薬液３０が１００ｍＬ／１５分の速度で投与されるものである場合、薬室１１が細長形をなしているので、液面３１はわずか３分４５秒で目盛り１６の一目盛分を移動する。その結果、薬液バッグ１は、薬液３０の投与状況を医療従事者に、明確かつ確実に認識させることができるとともに、確認の都度、薬液バッグ１の至近にまで移動して液面３１の位置を確認するという手間を省き、作業負担を軽減している。
【００３７】
しかも薬液バッグ１は、液面３１の位置の経時的な変化を大きくできるので、医療従事者だけでなく薬液３０が投与されている患者にも、薬液３０の投与が確実にかつ適切に進行しているという安心感を与えることができる。
【００３８】
図１（ｃ）の後も継続的に薬液３０が薬液バッグ１から流出して患者に投与されることにより、液面３１が同図（ｂ）から（ｃ）への移動速度と同じ速度で、下辺１１ｂに向かって移動する。薬液３０の全量が薬液バッグ１から流出すると、表側フィルム１０ａを介して薬液３０が視認できなくなり、薬液３０の投与が終了する。
【００３９】
なお情報１７は、例えばメーカー名、商品名、製品番号、容量、用量、成分、及び／又は使用上の注意である。また情報１７は、これらの情報を含むバーコードやＱＲコード（登録商標）であってもよい。なお情報１７は、これらの情報が記載されたラベルによって袋本体１０の外面に貼付されていてもよい。
【００４０】
薬室１１の容量として、薬液３０の１００ｍＬを封入する薬液バッグ１を一例として挙げたが、薬室１１の容量はこれに限られず、５０〜２５０ｍＬであることが好ましい。
【００４１】
また薬室１１の薬室内長さＬ及び薬室内幅Ｗについて一例を示したが、薬室１１はこれに限られず、薬室内幅Ｗに対して薬室内長さＬが１．８〜１５倍であることが好ましい。薬室内長さＬがこの値の範囲よりも小さいと、薬室内幅Ｗとの差が小さいので、薬室１１が細長形をなし難い。一方、この値の範囲よりも大きいと、薬液バッグ１の外形が極端に細長くなり、取扱性が損なわれる。具体的に、薬室内長さＬは１３０〜３００ｍｍであることが好ましく、薬室内幅Ｗは２０〜７０ｍｍであることが好ましい。
【００４２】
目盛線１６ａは、薬室内幅Ｗの１／２〜１／３の長さで、隣り合う目盛線１６ａ同士の間隔を１５〜３５ｍｍとすることが好ましい。目盛線１６ａの長さや間隔がこれらの範囲であることにより、ある程度正確な薬液３０の排出量や残量を、確認することができる。このように薬室１１が細長形であることにより、目盛線１６ａ同士を判別可能なように十分な間隔で付すことができる。
【００４３】
なお図１に、目盛り１６の数値が薬液３０の残量を示すように降順で付されている例を示したが、薬液３０の流出量、すなわち投与された量を示すように昇順で付されていてもよい。また目盛線１６ａ及び数値１６ｂは、２５ｍＬずつであることに限られず、封入される薬液３０の量や、所定の投与速度に応じて必要な間隔で付すことができる。また目盛り１６の数値は、例えばｍｇやｇのように、残存している薬液３０の質量や、流出した薬液３０の質量を示すように付されていてもよい。また目盛り１６は、薬液３０に含まれる有効成分の残量等を示すものであってもよい。
【００４４】
目盛り１６や情報１７は、薬液３０の種類や用量に応じて予め定められた色彩を有していてもよい。この場合、例えば薬液３０の種類毎に、深緑、青、紫、茶、及び黒のように異なる色彩を用いることもできる。これらの色彩のように、色彩相互間や薬液３０が呈する色に対して明確なコントラストを呈する色彩で目盛り１６等を付すことにより、肉眼で視認し易いので、医療従事者が一見して種類を識別できる。また、これらの色彩を用いて袋本体１０の外面に付されたバーコード等は、読み取り装置で即座にかつ正確に読み取ることができる。
【００４５】
必要に応じて、袋本体１０の外面に、薬液３０の種類や用量に応じて異なる色彩やデザインを有する模様が付されていてもよい。それによれば、医療従事者や患者が一見して薬液３０の種類や用量を確認できる。この場合模様は、薬液３０及び液面３１の視認性を損なわない面積であることが好ましい。
【００４６】
図２に、薬液バッグ１の別な態様を示す。同図（ａ）〜（ｃ）に示す薬液バッグ１は、薬室内長さＬと薬室内幅Ｗとの比が互いに異なるものである。同図（ａ）に示す薬液バッグ１の薬室１１の薬室内長さＬ１は、薬室内幅Ｗ１の８倍、具体的に薬室内長さＬ１＝２８０ｍｍである。それにより、薬液３０の投与速度が、比較的遅い場合であっても、液面３１の経時的な位置の変化をより目立たせることができる。同図（ｂ）の薬室１１の薬室内長さＬ２は、薬室内幅Ｗ２の５倍（薬室内長さＬ２＝１７５ｍｍ）である。また同図（ｃ）の薬室１１の薬室内長さＬ３は、薬室内幅Ｗ３の４倍（薬室内長さＬ３＝１４０ｍｍ）である。同図（ｂ）及び（ｃ）に示す薬液バッグ１の薬室内長さＬと薬室内幅Ｗとの差は、同図（ａ）に比較して若干小さい。それにより、薬液バッグ１の外形が極端に細長形になることを防止して取扱性を保ちつつ、要求される薬室１１の容量の確保と、点滴中における液面３１の位置の変化の明示とを両立させることができる。同図（ｃ）に示す薬液バッグ１によれば、比較的用量が少量でも十分な薬室内幅Ｗを確保することにより、薬液の液面３１を見え易くしつつ薬室を十分に細長くして減り具合を認識でき易くすることができる。薬室内幅Ｗに対する薬室内長さＬは、上記の範囲内で、封入すべき薬液３０の量、種類、粘度、及び投与速度、並びに薬液バッグ１の取扱性、及び使用態様によって、適宜選択され得る。なお、同図に示すように、薬液バッグ１は、目盛り１６及び情報１７を有していなくてもよい。
【００４７】
薬液バッグ１の製造方法を、図３を参照しつつ説明する。まず流出ポート２１を熱可塑性樹脂で成形する。
【００４８】
表側フィルム１０ａ及び裏側フィルム１０ｂを袋本体１０の外形に切り出して、流出ポート２１を挟んで両フィルム１０ａ，１０ｂの上下端部１２，１３及び左右側縁部１４，１５を帯状に熱融着し、薬室１１を形成する。さらに上端部１２に懸吊穴１２ａを抜き加工によって開け、薬液バッグ１を得る。
【００４９】
なお図１〜３に、薬液バッグ１として、対向する２枚のフィルムがそれの周縁部である上下端部１２，１３及び左右側縁部１４，１５で熱融着された袋本体１０を有する例を示したが、他の例として上端部と下端部とに開口を有する筒状のフィルムによって形成された袋本体１０を備える薬液バッグ１が挙げられる。この場合、流出ポート２１が下端部で挟まれつつ、開口している上端部及び下端部が熱融着によって接合される。この薬液バッグ１によれば、熱融着工程を簡略化できる。なおこの場合、上端部及び下端部の一端同士及び他端同士の間で折り返された折返部が、筒状のフィルムに形成される。目盛り１６は、この折返部の一方に沿って付される。また薬液バッグ１は、射出成形やブロー成形のような型を用いた製造方法によって得ることができる。この製造方法によれば、複数の薬液バッグ１間における夫々の薬室１１の容量差を小さくできるので、均質な薬液バッグ１を大量にかつ速やかに製造できる。
【００５０】
図４に、薬液バッグ１を用いて患者（不図示）に薬液を投与している状態を示す。同図は、情報１７を省略している。
【００５１】
薬液バッグ１は、点滴架台４０のフック４１が懸吊穴１２ａに通されることにより、懸け吊られる。チューブ２３の一端に設けられた瓶針２２が、流出ポート２１に液密に穿刺される。医療従事者は、まずクレンメ２４を締めてチューブ２３を閉塞させる。
【００５２】
医療従事者は、クレンメ２４を徐々に緩めて薬液３０を自然落下させる。
【００５３】
投与中、時間の経過とともに液面３１が、下辺１１ｂに向かって移動する。薬室１１が細長形をなしている、すなわち薬室内長さＬと薬室内幅Ｗとの差が大きいことにより（図１（ｂ）参照）、この差が小さい薬室を有する薬液バッグに比較して、薬液バッグ１は、この液面３１の位置の経時的変化を目立たせることができる。そのため、医療従事者は、投与終了までのおおよその所要時間を判断できる。また患者は、液面３１が徐々に下辺１１ｂに近づいていることを一見するだけで視認できるので、点滴を受けている間の心理的負担が軽減される。
【００５４】
図５に、薬液バッグ１の別な形態を示す。この薬液バッグ１は、クリップ５０を有している。クリップ５０は、押付アーム５１と受けアーム５２との一端同士が屈曲部５３で繋がって一体化しているものである。
【００５５】
受けアーム５２の他端で、爪５２ａが突き出ている。一方、押付アーム５１の他端に、爪５２ａを係合可能な係合穴５１ａが開いている。また、押付アーム５１の受けアーム５２に向いた面で、押付アーム５１の長手方向に沿って一直線に延びたリブ５１ｂが、出っ張っている。受けアーム５２は、このリブ５１ｂが嵌まるように凹んだ溝５２ｂを有している。屈曲部５３が広がることにより、押付アーム５１と受けアーム５２とが離反して、両者の間に袋本体１０を介在させることができる。一方、屈曲部５３が屈曲することによって、押付アーム５１と受けアーム５２とが当接して係合穴５１ａと爪５２ａとが係合し、リブ５１ｂが溝５２ｂに嵌まる。それにより押付アーム５１と受けアーム５２とで、袋本体１０を挟むことができる。
【００５６】
押付アーム５１と受けアーム５２とが、右側辺１１ｄと左側辺１１ｃとに跨りつつ、薬室１１を横断して袋本体１０を挟んでいる。リブ５１ｂが、目盛り１６のうち「５０」と表記された位置で、両フィルム１０ａ，１０ｂを溝５２ｂに押し込みつつそこに嵌まり、かつ爪５２ａが係合穴５１ａの周縁に係合していることによって、薬室１１が上辺１１ａ側と下辺１１ｂ側とに二分するように仕切られている。両フィルム１０ａ，１０ｂは液密に密着し、薬液３０が、５０ｍＬずつに二等分されている。
【００５７】
図５に示すように、この薬液バッグ１の流出ポート２１に、チューブ２３に繋がった瓶針２２が接続されることによって、下辺１１ｂ側の薬室１１に封入されている薬液３０の５０ｍＬだけが流出し、上辺１１ａ側の薬室１１に封入されている薬液３０は、流出せずにそのまま薬液バッグ１に留まる。このように薬液バッグ１は、薬室内幅Ｗの値が小さい細長形の薬室１１を有しているので、比較的小さくかつ簡素な構造のクリップ５０によって、簡易に薬室１１を仕切ることができる。しかもクリップ５０は、袋本体１０を任意の位置、例えば目盛り１６に合せて挟むことができる。そのため挟む位置の変更だけで薬室１１を、所望の容量ずつ仕切り、薬液３０の用量を例えば１／２や１／４に調整できる。
【００５８】
それにより、例えば新生児や幼児や小柄な患者ように体重が軽いため、薬液３０の用量が通常より少ない場合、クリップ５０によって薬室１１を仕切ることにより、下辺１１ｂ側の薬液３０の量を患者の体重に応じた所望の用量に調節することができる。その結果、患者に薬液３０が過剰に投与されるような投薬ミスを、効果的に防ぐことができる。また同一種類の薬液３０であっても異なる容量毎に、多種類の薬液バッグ１を製造する必要がないので、薬液バッグ１を低コストで製造することができる。
【００５９】
なお、投与すべき薬液３０の用量に対応する患者の体重を示すマーカー（不図示）が、袋本体１０の外面に、例えば目盛りのように付されていてもよい。それによれば医療従事者は、患者の体重を確認した上で、このマーカーに従ってクリップ５０で袋本体１０を挟むだけで、薬液３０を患者の体重に応じた用量に分けることができる。
【００６０】
薬液３０は、製剤をＲＯ水や蒸留水のような無菌水又は生理食塩水で溶解したプレミックス製剤などが挙げられる。プレミックス製剤として鎮痛剤の他、解熱剤、制吐剤、鎮咳剤、抗ヒスタミン剤、抗アレルギー剤、気管支拡張剤、ステロイド剤、抗不整脈剤、抗てんかん剤が挙げられる。また薬液３０は、ブドウ糖のような糖液、塩化ナトリウムや乳酸カリウムのような電解質補正液、インスリン製剤、タンパク製剤、抗体薬、抗リウマチ薬、造影剤、タンパク質分解酵素阻害剤、脂肪乳剤、抗生物質、抗がん剤、ヘパリンカルシウム、及び麻酔薬であってもよい。
【００６１】
薬液バッグ１の袋本体１０、流出ポート２１及びクリップ５０の材料は、熱可塑性プラスチック、例えばポリエチレン、ポリプロピレン、ポリブテン、ポリ−４−メチルペンテン−１、ポリスチレン、ポリ酢酸ビニル、ポリメタクリル酸メチル、ポリメタクリル酸エチル、ポリアクリル酸、環状ポリオレフィン、ポリアクリロニトリル、ポリアミド（ナイロン）、ポリエステル、ポリウレタン、ポリカーボネート、ポリイミド、ポリフェニレンスルフィド、ポリ塩化ビニルからなる群の少なくとも１つを含む単独重合体及び／又は共重合体及び／又はポリマーブレンドなどが使用できる。
【００６２】
クリップ５０の材料は、上記のプラスチックに代えて、鉄、銅、ステンレス、及び／又はアルミニウムのような金属であってもよい。
【産業上の利用可能性】
【００６３】
本発明の薬液バッグは、特に少量の薬液を点滴によって患者へ投与するのに用いられる。
【符号の説明】
【００６４】
１：薬液バッグ、１０：袋本体、１０ａ：表側フィルム、１０ｂ：裏側フィルム、１１：薬室、１１ａ：上辺、１１ａ１，１１ａ２：円弧、１１ｂ：下辺、１１ｂ１，１１ｂ２：円弧、１１ｃ：左側辺、１１ｄ：右側辺、１１ｅ：窄み部、１２：上端部、１２ａ：懸吊穴、１３：下端部、１４：左側縁部、１５：右側縁部、１６：目盛り、１６ａ：目盛線、１６ｂ：数値、１７：情報、２１：流出ポート、２２：瓶針、２３：チューブ、２４：クレンメ、３０：薬液、３１：液面、４０：点滴架台、４１：フック、５０：クリップ、５１：押付アーム、５１ａ：係合穴、５１ｂ：リブ、５２：受けアーム、５２ａ：爪、５２ｂ：溝、５３：屈曲部、Ｌ，Ｌ１，Ｌ２，Ｌ３：薬室内長さ、Ｗ，Ｗ１，Ｗ２，Ｗ３：薬室内幅
【図１】
2017164421.tif 000003
【図２】
2017164421.tif 000004
【図３】
2017164421.tif 000005
【図４】
2017164421.tif 000006
【図５】
2017164421.tif 000007